(57)【要約】【課題】光学補償素子の取付姿勢の微調整が容易な補償素子調整機構、およびプロジェクタを提供すること。【解決手段】補償素子調整機構は、液晶パネル２５ｂと偏光板２５ｆとの間に配置される光学補償素子１０と、光学補償素子１０を支持する第１フレーム１３１と第１フレーム１３１を支持すると共に光学補償素子１０に相対して外周の対向する位置に設けられる一対の軸部材２３１ｂ，２３１ｃを有する第２フレーム２３１とで構成されて第１フレーム１３１を第２フレーム２３１に対して回動自在に支持する支持部を有するフレームユニット３１と、液晶パネル２５ｂ側に固定されると共に第２フレーム２３１の一対の軸部材２３１ｂ，２３１ｃを回動自在に支持する支持ホルダ３３と、支持ホルダ３３に対する第２フレーム２３１の変位を、弾性的な当接により制限する固定部と、を備える。【選択図】図５
2009169042.tif 000002
【特許請求の範囲】
【請求項１】
液晶パネルと偏光板との間に配置される光学補償素子と、
前記光学補償素子を支持する第１フレームと、当該第１フレームを支持すると共に前記光学補償素子に相対して外周の対向する位置に設けられる一対の軸部材を有する第２フレームと、で構成され、前記第１フレームを前記第２フレームに対して回動自在に支持する支持部を有するフレームユニットと、
前記液晶パネル側に固定されると共に前記第２フレームの前記一対の軸部材を回動自在に支持する支持ホルダと、
前記支持ホルダに対する前記第２フレームの変位を、弾性的な当接により制限する固定部と、を備える補償素子調整機構。
【請求項２】
請求項１に記載の補償素子調整機構であって、
前記支持部は、前記第１フレームに第１係合部と、前記第２フレームに第２係合部と、を有し、
前記第１係合部と前記第２係合部とが係合して摺動することを特徴とする補償素子調整機構。
【請求項３】
請求項１または請求項２に記載の補償素子調整機構であって、
前記第１フレームを、前記第２フレームに対して回動させる操作部を有していることを特徴とする補償素子調整機構。
【請求項４】
請求項３に記載の補償素子調整機構であって、
前記操作部は、前記第１フレームの外周にギヤ形状部を有して前記第１フレームを前記第２フレームに対して回動させて調整可能にすることを特徴とする補償素子調整機構。
【請求項５】
請求項１〜請求項４のいずれか一項に記載の補償素子調整機構であって、
前記光学補償素子は、略円板状に形成されていることを特徴とする補償素子調整機構。
【請求項６】
請求項１〜請求項５のいずれか一項に記載の補償素子調整機構であって、
前記第１フレームまたは前記第２フレームは、略円形状に形成される開口部を有していることを特徴とする補償素子調整機構。
【請求項７】
請求項１〜請求項６のいずれか一項に記載の補償素子調整機構であって、
前記固定部は、前記第２フレームを摩擦力で係止することにより、前記支持ホルダに対する前記第２フレームの変位量の微調整を許容することを特徴とする補償素子調整機構。
【請求項８】
請求項１〜請求項７のいずれか一項に記載の補償素子調整機構であって、
前記固定部は、前記支持ホルダに取り付けられる第１固定部と、前記第２フレームから延びる第２固定部とを含み、前記第１固定部および前記第２固定部の弾性的な係止により、前記支持ホルダに対する前記第２フレームの変位を制限することを特徴とする補償素子調整機構。
【請求項９】
請求項８に記載の補償素子調整機構であって、
前記第２固定部は、前記支持ホルダの外側に延びることにより、前記第２フレームの姿勢を調整可能にする操作用のノブを備えることを特徴とする補償素子調整機構。
【請求項１０】
請求項８または請求項９に記載の補償素子調整機構であって、
前記固定部は、前記第１固定部または前記第２固定部に設けた樹脂バネまたは板金バネを含むことを特徴とする補償素子調整機構。
【請求項１１】
請求項１〜請求項１０のいずれか一項に記載の補償素子調整機構と、
発光により光束を射出する光源装置と、
前記光源装置から射出された前記光束を画像情報に応じて変調して光学像を形成する前記液晶パネルを有する光変調装置と、
前記光変調装置で形成された前記光学像を投写する投写光学装置と、を備えていることを特徴とするプロジェクタ。
【発明の詳細な説明】
【技術分野】
【０００１】
本発明は、液晶パネルの光学補償のための補償素子調整機構、および補償素子調整機構を組み込んだプロジェクタに関する。
【背景技術】
【０００２】
従来、プロジェクタに組み込まれる光学像形成用の光学装置では、特許文献１に開示されるように、液晶パネルの入射側や射出側に光学補償シートを配置している。そして、光学補償シートの取付姿勢を調整するため、光学補償シートを光軸のまわりに回動させたり、光軸に直交する回転軸のまわりに回動させたりすることができるホルダが用いられている。そして、例えば、光学補償シートを枠体と共に光軸に直交する回転軸のまわりに回動させる場合、枠体に設けた一対の軸部を固定部材に突設した一対の枢支部により枢支し、調整後は枠体を固定部材に対してビス止めしている。
【０００３】
【特許文献１】特開２００７−７８７３５号公報
【発明の開示】
【発明が解決しようとする課題】
【０００４】
しかし、上記のようなホルダでは、光学補償シート（光学補償素子）の取付姿勢の微調整が容易ではない。つまり、枠体の姿勢を調節した後にビス止めする作業が不可欠であり、枠体の調整後にビスで固定する際に、枠体の姿勢が再度変化し易く、光学補償シート（光学補償素子）の取付姿勢の精密な調整と、その後の固定が容易ではないという課題がある。
【課題を解決するための手段】
【０００５】
本発明は、上述した課題の少なくとも一部を解決するためになされたものであり、以下の形態または適用例として実現することが可能である。
【０００６】
（適用例１）本適用例に係る補償素子調整機構は、（ａ）液晶パネルと偏光板との間に配置される光学補償素子と、（ｂ）光学補償素子を支持する第１フレームと、第１フレームを支持すると共に光学補償素子に相対して外周の対向する位置に設けられる一対の軸部材を有する第２フレームと、で構成され、第１フレームを第２フレームに対して回動自在に支持する支持部を有するフレームユニットと、（ｃ）液晶パネル側に固定されると共に第２フレームの一対の軸部材を回動自在に支持する支持ホルダと、（ｄ）支持ホルダに対する第２フレームの変位を、弾性的な当接により制限する固定部と、を備えることを特徴とする。
【０００７】
上記補償素子調整機構では、フレームユニットにおいて、光学補償素子を支持する第１フレームが、支持部により、第２フレームに支持されて回動自在となることで、液晶パネルに対して第１フレームすなわち光学補償素子の取付姿勢を調整することができる。従って、例えば液晶パネルに対して光軸が設定された場合に、光軸のまわりに回動させる場合の光学補償素子の取付姿勢を調整することができる。また、光学補償素子を支持する第１フレームが支持部により、第２フレームに支持され、また、その第２フレームが、光学補償素子に相対して外周の対向する位置に設けられる一対の軸部材を有し、その一対の軸部材が支持ホルダに回動自在に支持されることにより、液晶パネルに対して第２フレームすなわち光学補償素子の取付姿勢を調整することができる。従って、例えば液晶パネルに対して光軸が設定された場合に、光軸に直交する回転軸のまわりに回動させる場合の光学補償素子の取付姿勢を調整することができる。この際、固定部が、支持ホルダに対する第２フレームの変位を弾性的な当接により制限するため、光学補償素子の姿勢を第２フレームと共に所望な量だけ変化させてそのまま保持することができる。従って、補償素子調整機構は、例えば光軸のまわりに回動させる場合の光学補償素子の取付姿勢を調整することができると共に、例えば光軸に直交する回転軸のまわりに回動させる場合の光学補償素子の取付姿勢も調整することができ、光学補償素子の取付姿勢の精密な調整と調整後の簡易な固定とが可能になる。
【０００８】
（適用例２）上記の補償素子調整機構であって、支持部は、第１フレームに第１係合部と、第２フレームに第２係合部と、を有し、第１係合部と第２係合部とが係合して摺動することが好ましい。この場合、第１係合部と第２係合部とが係合して摺動することにより、光学補償素子を支持する第１フレームを第２フレームで支持して回動させて第１フレームの姿勢調整を行なうことができる。例えば光軸のまわりに回動させる場合の光学補償素子の姿勢調整が可能になる。
【０００９】
（適用例３）上記の補償素子調整機構であって、第１フレームを、第２フレームに対して回動させる操作部を有していることが好ましい。この場合、この操作部を利用して光学補償素子を支持する第１フレームを第２フレームで支持して回動させることで、光学補償素子の姿勢調整を簡易に行なうことが可能になる。
【００１０】
（適用例４）上記の補償素子調整機構であって、操作部は、第１フレームの外周にギヤ形状部を有して第１フレームを第２フレームに対して回動させて調整可能にすることが好ましい。この場合、このギヤ形状部を利用して光学補償素子を支持する第１フレームを第２フレームで支持して回動させることで、光学補償素子の姿勢調整を簡易で更に精密に行なうことが可能になる。
【００１１】
（適用例５）上記の補償素子調整機構であって、光学補償素子は、略円板状に形成されていることが好ましい。この場合、第１フレームを第２フレームに対して回動させて姿勢調整を行なう際に、光学補償素子を略円板状に形成することにより、最も効率的な形状とすることができ、かつ、光学補償素子を小型化することができるため、補償素子調整機構の小型化が可能となる。
【００１２】
（適用例６）上記の補償素子調整機構であって、第１フレームまたは第２フレームは、略円形状に形成される開口部を有していることが好ましい。この場合、第１フレームを第２フレームに対して回動させて姿勢調整を行なう際に、第１フレームまたは第２フレームの開口部を略円形状に形成することにより、第１フレームまたは第２フレームを最も効率的な形状とすることができるため、補償素子調整機構の小型化が可能となる。第１フレームおよび第２フレームの開口部を略円形状に形成することにより、更に補償素子調整機構の小型化が可能となる。
【００１３】
（適用例７）上記の補償素子調整機構であって、固定部は、第２フレームを摩擦力で係止することにより、支持ホルダに対する第２フレームの変位量の微調整を許容することが好ましい。この場合、光学補償素子の姿勢を摩擦力に抗して微調整した状態で摩擦力により固定することができる。
【００１４】
（適用例８）上記の補償素子調整機構であって、固定部は、支持ホルダに取り付けられる第１固定部と、第２フレームから延びる第２固定部とを含み、第１固定部および第２固定部の弾性的な係止により、支持ホルダに対する第２フレームの変位を制限することが好ましい。この場合、第１固定部の介在により光学補償素子の取付姿勢の簡易な固定が可能になる。
【００１５】
（適用例９）上記の補償素子調整機構であって、第２固定部は、支持ホルダの外側に延びることにより、第２フレームの姿勢を調整可能にする操作用のノブを備えることが好ましい。この場合、操作用のノブを利用して第２フレームの姿勢調整が簡易に行なえる。すなわち、例えば光軸に直交する回転軸のまわりに回動させる場合の光学補償素子の姿勢調整が簡易に行なえる。
【００１６】
（適用例１０）上記の補償素子調整機構であって、固定部は、第１固定部または第２固定部に設けた樹脂バネまたは板金バネを含むことが好ましい。この場合、簡易な機構で第２フレームの変位制限または固定が可能になる。
【００１７】
（適用例１１）本適用例に係るプロジェクタは、（ａ）上述の補償素子調整機構と、（ｂ）発光により光束を射出する光源装置と、（ｃ）光源装置から射出された光束を画像情報に応じて変調して光学像を形成する液晶パネルを有する光変調装置と、（ｄ）光変調装置で形成された光学像を投写する投写光学装置と、を備えていることを特徴とする。
【００１８】
上記プロジェクタでは、光源装置の発光により光束が射出され、液晶パネルを有する光変調装置とにより、光源装置から射出された光束を画像情報に応じて変調して光学像を形成する。そして、投写光学装置により、光変調装置で形成された光学像を投写する。この際、上述のような簡単な構造の補償素子調整機構を用いているため、光学補償素子を簡易な構造で精密に配置することができ、投写される光学像（カラー画像など）のコントラストを容易に高めることができる。
【発明を実施するための最良の形態】
【００１９】
以下、実施形態を図面に基づいて説明する。
【００２０】
図１は、本実施形態に係るプロジェクタの光学系の構造を示す図である。図１を用いて、プロジェクタ１００の光学系の構成および動作を説明する。
【００２１】
本実施形態のプロジェクタ１００は、発光により光束を射出する光源装置２１と、光源装置２１から射出された光束を複数の部分光束に分割し、液晶パネル２５ａ，２５ｂ，２５ｃ上に重畳して結像させる照明光学装置２２と、光源装置２１から射出された光束を赤緑青の３色光に分離する色分離光学系２３と、色分離光学系２３から射出された各色光により照明され、画像情報に応じて変調して光学像を形成する光変調部２５とを備える。また、プロジェクタ１００は、光変調部２５により形成された各色光の光学像を合成するクロスダイクロイックプリズム２７と、クロスダイクロイックプリズム２７から射出される合成された光学像（カラー画像など）をスクリーン（図示省略）などに投写するための投写光学装置としての投写レンズ２９とを備える。
【００２２】
また、光源装置２１は、光源ランプ２１ａで構成され、本実施形態では、放電式の高圧水銀ランプを用いている。また、照明光学装置２２は、凹レンズ２２ｂと、一対のフライアイレンズ２２ｄ，２２ｅと、偏光変換部材２２ｇと、重畳レンズ２２ｈとを備える。凹レンズ２２ｂは、光源ランプ２１ａからの光束を平行化する役割を有するが、省略することもできる。一対のフライアイレンズ２２ｄ，２２ｅは、マトリクス状に配置された複数の要素レンズからなり、これらの要素レンズにより凹レンズ２２ｂを経た光源ランプ２１ａからの光束を部分光束に分割して個別に集光・発散させる。
【００２３】
また、偏光変換部材２２ｇは、フライアイレンズ２２ｅから射出した光束を例えば図１の紙面に垂直なＳ偏光成分のみに変換して次段光学系に射出する。重畳レンズ２２ｈは、偏光変換部材２２ｇを経た光束を全体として適宜収束（結像）させることにより、光変調部２５に設けた各色光用の光変調装置に対する重畳照明を可能にする。従って、両フライアイレンズ２２ｄ，２２ｅと重畳レンズ２２ｈとを経た光束は、以下に詳述する色分離光学系２３を経て、光変調部２５に設けられた各色光用の液晶パネル２５ａ，２５ｂ，２５ｃを均一に重畳照明する。
【００２４】
色分離光学系２３は、第１ダイクロイックミラー２３ａと、第２ダイクロイックミラー２３ｂと、補正光学系である３つのフィールドレンズ２３ｆ，２３ｇ，２３ｈと、反射ミラー２３ｊ，２３ｍ，２３ｎ，２３ｏとを備えて構成される。ここで、光源装置２１からの略白色の光束は、重畳レンズ２２ｈを経て、反射ミラー２３ｊで光路を折り曲げられて第１ダイクロイックミラー２３ａに入射する。そして、第１ダイクロイックミラー２３ａは、赤緑青の３色光のうち例えば赤色光および緑色光を反射し青色光を透過させる。また、第２ダイクロイックミラー２３ｂは、入射した赤色光および緑色光のうち例えば緑色光を反射し赤色光を透過させる。
【００２５】
第１ダイクロイックミラー２３ａを通過した青色光は、例えばＳ偏光のまま、反射ミラー２３ｍを経てフィールドレンズ２３ｆに入射する。また、第１ダイクロイックミラー２３ａで反射されて第２ダイクロイックミラー２３ｂで更に反射された緑色光は、例えばＳ偏光のままフィールドレンズ２３ｇに入射する。更に、第２ダイクロイックミラー２３ｂを通過した赤色光は、例えばＳ偏光のまま、第１レンズＬＬ１、第２レンズＬＬ２、および反射ミラー２３ｎ，２３ｏを経て、入射角度を調節するためのフィールドレンズ２３ｈに入射する。第１レンズＬＬ１、第２レンズＬＬ２、およびフィールドレンズ２３ｈは、リレー光学系を構成している。このリレー光学系は、第１レンズＬＬ１の像を、第２レンズＬＬ２を介して略そのままフィールドレンズ２３ｈに伝達する機能を備えている。
【００２６】
光変調部２５は、３つの液晶パネル２５ａ，２５ｂ，２５ｃと、各液晶パネル２５ａ，２５ｂ，２５ｃを挟むように配置される３組の偏光板２５ｅ，２５ｆ，２５ｇとを備える。ここで、第１光路ＯＰ１に配置された青色光用の液晶パネル２５ａと、これを挟む一対の偏光板２５ｅ，２５ｅとは、輝度変調後の光学像のうち青色光を画像情報に基づいて２次元的に輝度変調するための青色光用の液晶ライトバルブを構成する。
【００２７】
このうち、液晶パネル２５ａは、例えば垂直配向型の動作を行なう液晶セルを備えるが、ＴＮ型の動作を行なう液晶セルを含むものとすることもできる。液晶パネル２５ａは、一対の基板間に液晶層を挟んだ一般的な構造を有し、入射側すなわち表の基板側に配向膜、透明共通電極層、ブラックマトリクス等を備え、射出側すなわち裏の基板側に配向膜、透明画素電極、回路層等を備える。青色光用の液晶ライトバルブは、コントラスト向上用の光学補償素子１０を、例えば射出側の偏光板２５ｅと液晶パネル２５ａとの間に組み込んでいる。
【００２８】
同様に、第２光路ＯＰ２に配置された緑色光用の液晶パネル２５ｂと、対応する偏光板２５ｆ，２５ｆも、緑色光用の液晶ライトバルブを構成し、第３光路ＯＰ３に配置された赤色光用の液晶パネル２５ｃと、偏光板２５ｇ，２５ｇも、赤色光用の液晶ライトバルブを構成する。そして、これら緑色光および赤色光用の液晶ライトバルブも、コントラスト向上用の光学補償素子１０を、例えば射出側の偏光板２５ｆ，２５ｇと液晶パネル２５ｂ，２５ｃとの間に組み込んでいる。
【００２９】
青色光用の液晶パネル２５ａには、色分離光学系２３の第１ダイクロイックミラー２３ａを透過することにより分岐された青色光が、フィールドレンズ２３ｆを介して入射する。緑色光用の液晶パネル２５ｂには、色分離光学系２３の第２ダイクロイックミラー２３ｂで反射されることにより分岐された緑色光が、フィールドレンズ２３ｇを介して入射する。赤色光用の液晶パネル２５ｃは、第２ダイクロイックミラー２３ｂを透過することにより分岐された赤色光が、フィールドレンズ２３ｈを介して入射する。
【００３０】
各液晶パネル２５ａ〜２５ｃは、入射した各色光の空間的強度分布を変調する非発光型の光変調装置であり、各液晶パネル２５ａ〜２５ｃにそれぞれ入射した３色の色光は、各液晶パネル２５ａ〜２５ｃに電気的信号として入力された駆動信号或いは画像信号に応じて変調される。その際、偏光板２５ｅ，２５ｆ，２５ｇにより、各液晶パネル２５ａ〜２５ｃに入射する各色光の偏光方向が調整されると共に、各液晶パネル２５ａ〜２５ｃから射出される変調光から所定の偏光方向の成分光が光学像として取り出される。更に、光学補償素子１０により、液晶パネル２５ａ〜２５ｃによる位相変調が適正になるように調整が行なわれ、これらの光学的補償が可能になる。
【００３１】
クロスダイクロイックプリズム２７は、光合成部材であり、４つの直角プリズムを貼り合わせた平面視略正方形状をなし、直角プリズム同士を貼り合わせた界面には、Ｘ字状に交差する一対の誘電体多層膜２７ａ，２７ｂが形成されている。一方の誘電体多層膜２７ａは青色光を反射し、他方の誘電体多層膜２７ｂは赤色光を反射する。
【００３２】
このクロスダイクロイックプリズム２７は、液晶パネル２５ａからの青色光を誘電体多層膜２７ａで反射して進行方向右側に射出させ、液晶パネル２５ｂからの緑色光を２つの誘電体多層膜２７ａ，２７ｂを介して直進・射出させ、液晶パネル２５ｃからの赤色光を誘電体多層膜２７ｂで反射して進行方向左側に射出させる。
【００３３】
投写レンズ２９は、クロスダイクロイックプリズム２７で合成されたカラーの光学像を、所望の倍率で、プロジェクタ１００の外部に設置されるスクリーン（図示省略）上に投写する。つまり、各液晶パネル２５ａ〜２５ｃに入力された駆動信号或いは画像信号に対応する所望の倍率のカラー動画やカラー静止画が、スクリーン上に投写される。
【００３４】
以上のプロジェクタ１００において、光変調部２５に組み込まれた光学補償素子１０は、上述したように、例えば液晶パネル２５ａ〜２５ｃにより正確に調整できなかった位相変調量を微調整する目的で使用される。このような光学補償素子１０を液晶ライトバルブ内の適所に配置することで、光変調部２５による光変調のコントラストを高めることができ、高品位の画像の投写が可能になる。この際、光学補償素子１０の厚みや光軸に対する回動状態や傾斜状態は、液晶パネル２５ａ〜２５ｃにより与えられる複屈折位相差に対して必要な調整量に対応するものとなっている。このような厚みや回動量や傾斜量は、個々の液晶パネル２５ａ〜２５ｃ毎に設定することが望ましい。
【００３５】
図２は、プロジェクタの一部を構成する光学ユニットの構造を示す斜視図である。図２を用いて、光学ユニット３０の構成および動作を説明する。
【００３６】
光学ユニット３０は、クロスダイクロイックプリズム２７と、液晶パネル２５ａ，２５ｂ，２５ｃと、射出フィルタユニット１２５ａ，１２５ｂ，１２５ｃとを備えている。クロスダイクロイックプリズム２７の３つの入射側面には、３つの射出フィルタユニット１２５ａ，１２５ｂ，１２５ｃがそれぞれアライメントされて貼り付けられており、更に、射出フィルタユニット１２５ａ，１２５ｂ，１２５ｃに対向して液晶パネル２５ａ，２５ｂ，２５ｃがそれぞれアライメントされた状態で固定されている。つまり、液晶パネル２５ａ，２５ｂ，２５ｃの射出側に、射出フィルタユニット１２５ａ，１２５ｂ，１２５ｃが配置されている。
【００３７】
各射出フィルタユニット１２５ａ，１２５ｂ，１２５ｃは、図１に示す射出側の偏光板２５ｅ，２５ｆ，２５ｇと、これに対向して配置される各色光用の光学補償素子１０とをそれぞれ内蔵しており、光学補償素子１０の回動および傾斜姿勢を個別に調整するための補償素子調整機構として機能する。なお、各液晶パネル２５ａ，２５ｂ，２５ｃからは、フラット型の配線ケーブルＣＡがそれぞれ延びている。
【００３８】
図３は、補償素子調整機構を有する射出フィルタユニットと液晶パネルとの構成を示す図であり、図３（ａ）は、平面図であり、図３（ｂ）は、正面図である。図４は、図３における射出フィルタユニットを透視した正面図である。また、図５は、射出フィルタユニットの斜視図である。図６は、射出フィルタユニットなどの分解斜視図である。図７は、フレームユニットの構造を示す図であり、図７（ａ）は、正面からの斜視図であり、図７（ｂ）は、背面からの斜視図であり、図７（ｃ）は、フレームユニットの分解斜視図である。
【００３９】
また、図３は、詳細には、光学ユニット３０のうち、緑色光用の液晶パネル２５ｂおよび緑色光用の補償素子調整機構を有する射出フィルタユニット１２５ｂの構造を示している。そして、補償素子調整機構により、光学補償素子１０を光軸ＯＡのまわりに回動させ、また、光軸ＯＡと略垂直となる回転軸ＲＡに対しても回動させた状態を示している。また、図４は、詳細には、図３と同様の状態を示し、液晶パネル２５ｂを除いた補償素子調整機構を有する射出フィルタユニット１２５ｂの状態を示している。図５は、図３と同様の状態を示し、光学補償素子１０の調整後の状態での射出フィルタユニット１２５ｂを示している。図３〜図７を用いて、射出フィルタユニット１２５ｂの構成および動作に関して説明する。
【００４０】
図３、図６などに示すように、液晶パネル２５ｂは、ビス５１により射出フィルタユニット１２５ｂに固定されている。射出フィルタユニット１２５ｂは、補償素子調整機構を有しており、補償素子調整機構は、光学補償素子１０および偏光板２５ｆの他に、フレームユニット３１と、支持ホルダ３３と、固定部材３５と、支持部材としての第３フレーム３７とを備えている。このうち、図６、図７などに示すように、フレームユニット３１は、光学補償素子１０を保持する第１フレーム１３１と、第１フレーム１３１を回動自在に保持する第２フレーム２３１とを備えている。
【００４１】
図７に示すように、第１フレーム１３１は、合成樹脂材料により成形されたものであり、光学補償素子１０の外形より大きな略円板形状の本体部１３１ａを有している。そして本体部１３１ａは、中央で略円形状に開口される開口部Ｗ１を有している。また、本体部１３１ａの外端部には、全周に渡ってギヤ形状に加工された操作部としてのギヤ形状部１３１ｂを有している。
【００４２】
また、本体部１３１ａの開口部Ｗ１の縁部には、外周に向かって断面略Ｌ字形状となる、一対の対向する係合片１３１ｃが形成されている。この係合片１３１ｃと開口部Ｗ１の縁部背面（本体部１３１ａ）が、第１係合部を構成し、後述する第２フレーム２３１の第２係合部と係合する。また、本体部１３１ａの正面（液晶パネル２５ｂ側）には、開口部Ｗ１を塞ぐように光学補償素子１０が貼り付けられている。
【００４３】
また、図７に示すように、第２フレーム２３１は、金属材料（板金）の加工により形成されたものであり、略円板形状であり、第１フレーム１３１を支持する本体部２３１ａと、液晶パネル２５ｂの画角に対して傾斜した一対の対角位置に設けられ外側に向かって延びる一対の軸部材２３１ｂ，２３１ｃと、上部中央から上方に延びるレバー部材２３１ｅとを有している。なお、一対の軸部材２３１ｂ，２３１ｃは、言い換えると、光学補償素子１０に相対して本体部２３１ａの外周の対向する位置に設けられている。ここで、本体部２３１ａは、中央で略円形状に開口される開口部Ｗ２を有し、開口部Ｗ２の縁部には、一つの切り欠き部２３１ｄが形成されている。なお、開口部Ｗ２の切り欠き部２３１ｄを含む縁部両側面（本体部２３１ａ）が第２フレーム２３１の第２係合部を構成している。
【００４４】
ここで、第１フレーム１３１と第２フレーム２３１とをフレームユニット３１として組み立てる場合、最初に、第２フレーム２３１の正面（液晶パネル２５ｂ側）から、開口部Ｗ２の切り欠き部２３１ｄに第１フレーム１３１の一方の係合片１３１ｃを挿入する。そして、係合片１３１ｃと本体部１３１ａの背面とで、開口部Ｗ２の縁部両側面を挟持させて摺動（回動）して係合することで組み立てられる。これにより、第２フレーム２３１は、開口部Ｗ２を塞ぐように正面（液晶パネル２５ｂ側）に、光学補償素子１０が貼り付けられた第１フレーム１３１を支持する形態となる。
【００４５】
このように組み立てられた、フレームユニット３１により、図７（ａ）、（ｂ）の矢印Ｂで示す方向に、第１フレーム１３１は、第２フレーム２３１に対して（光軸ＯＡのまわりに）回動自在となる。なお、この場合、挟持による摩擦力（支持力）は、摩擦力に抗する回動による調整を許容し、回動による調整後は、摩擦力により固定できるように設定されている。
【００４６】
第１フレーム１３１のギヤ形状部１３１ｂは、第２フレーム２３１に対する第１フレーム１３１（光学補償素子１０）の回動角度を微調整する際に利用される。なお、微調整する際には、このギヤ形状部１３１ｂに噛み合う治具（図示省略）に構成した調整用のギヤ部（図示省略）を回転することで行なってもよいし、指などで行なってもよい。
【００４７】
また、第２フレーム２３１において、本体部２３１ａから延びる一対の軸部材２３１ｂ，２３１ｃは、細長い板状の部材として後述する支持ホルダ３３に支持されている。そして、本体部２３１ａが、光軸ＯＡに対して垂直で、画角に対して傾いた回転軸ＲＡ（図３（ｂ）など参照）のまわりに回動することを許容している。つまり、フレームユニット３１すなわち光学補償素子１０は、液晶パネル２５ｂに対して一定範囲内で任意の角度だけ傾斜させることができるようになっている。レバー部材２３１ｅの先端に設けられたノブ２３１ｈは、第２フレーム２３１（フレームユニット３１）の傾斜角度を指などで微調整する際に利用する。
【００４８】
なお、光学補償素子１０は、ガラスまたはプラスチックなどのポリマー製の透明板上に、接着剤などにより、複屈折性を有する無機若しくは有機材料からなる板状部材、またはこれらを複合した板状部材、ＷＶ（Wide View）フィルムなどを取り付けたものである。光学補償素子１０は、液晶パネル２５ｂに封入されている液晶材料やその配向特性に応じて、その光学軸を、光軸ＯＡに平行な方向や光軸ＯＡに垂直な方向に配置することができる。そして、光学補償素子１０の光学軸を光軸ＯＡに平行な方向とする場合、その方位を光軸ＯＡに対して適切な角度に設定することができる。更に、光学補償素子１０の光学軸を光軸ＯＡに垂直な方向とする場合、その方位を回転軸ＲＡに対して適切な角度に設定することができる。なお、光学補償素子１０の材料としては、サファイア、水晶、ＴＡＣ（トリアセチルセルロース）などの各種材料を用いることができる。
【００４９】
支持ホルダ３３は、図５、図６などに示すように、一方の側に液晶パネル２５ｂに接合するための第１接合部３３ａを有し、他方の側に偏光板２５ｆを取り付けるための第２接合部３３ｂ，３３ｃを有し、第１接合部３３ａと第２接合部３３ｂ，３３ｃとの間に、これらを連結する一対の側壁部３３ｅ，３３ｆを設けている。
【００５０】
支持ホルダ３３は、金属材料（板金）の加工により形成されたものであり、接合部（第１接合部３３ａと第２接合部３３ｂ，３３ｃ）と側壁部３３ｅ，３３ｆとが折り曲げにより立体的に形成されており、第１接合部３３ａと第２接合部３３ｂ，３３ｃとの間に前述のフレームユニット３１を収容するための隙間状の空間ＳＰ（図３（ａ）、図６を参照）が形成されている。第１接合部３３ａは、中央で略矩形状に開口される開口部Ｗ３を有し、第１フレーム１３１に支持される光学補償素子１０と、液晶パネル２５ｂとが対面するようになっている。また、第１接合部３３ａの上側には、背面側に折り曲げられて形成された一対の突起部５６ｂと、上方に延びる１つの突起部５６ｃを有している。両側壁部３３ｅ，３３ｆには、中央に挿入孔５３ａ，５３ｂが形成され、上側にスリット状の溝である支持溝５３ｃ，５３ｄが形成されており、挿入孔５３ａ，５３ｂの下端には、スリット状の溝である支持溝５４ｃ，５４ｄが更に形成されている。
【００５１】
一方の側壁部３３ｅの挿入孔５３ａに設けた支持溝５４ｃには、図４、図６、図７などに示すように、第２フレーム２３１の正面左下に形成された軸部材２３１ｃが所定の緩みをもって嵌合し、他方の側壁部３３ｆの支持溝５３ｄには、第２フレーム２３１の正面右上に形成された軸部材２３１ｂが同様の緩みをもって嵌合する。この際、軸部材２３１ｃの端部に形成された鉤部２６１ａと、軸部材２３１ｂの端部に形成された鉤部２６１ｂとが協働して、光学補償素子１０の主面に平行な横方向に関して第２フレーム２３１の動きを制限するので、支持ホルダ３３内での第２フレーム２３１のガタツキが低減される。つまり、第２フレーム２３１が支持ホルダ３３内で回転軸ＲＡのまわりに滑らかに回動可能になる。
【００５２】
図３（ａ）、図６などに示すように、第２フレーム２３１（フレームユニット３１）を挟んで第１接合部３３ａの反対側となる第２接合部３３ｂ，３３ｃには、外側つまり液晶パネル２５ｂの反対側から偏光板２５ｆが貼り付けられて固定されている。図６などに示すように、第２接合部３３ｂ，３３ｃには、複数の取付孔６２ａが適所に形成されており、第３フレーム３７の取り付けおよび固定が可能になっている。
【００５３】
固定部材３５は、図６などに示すように、合成樹脂材料により成形されたものであり、本体部３５ａと、一対の鉤部３５ｂ，３５ｂと、一対の突起部３５ｃ，３５ｃと、切り欠き部３５ｄとを備える。本体部３５ａと一対の鉤部３５ｂ，３５ｂとは、協働して支持ホルダ３３の第１接合部３３ａの上端部を挟持する。これにより、第１接合部３３ａ上部に固定部材３５が取り付けられる。この際、支持ホルダ３３のボス孔５６ａと固定部材３５の本体部３５ａの背面に形成された突起３５ｅ（図４参照）とが嵌合して固定部材３５の分離が防止される。
【００５４】
また、支持ホルダ３３に形成された突起部５６ｂにより固定部材３５が下側に過剰に移動することを防止できる。また、固定部材３５の切り欠き部３５ｄが支持ホルダ３３に形成された突起部５６ｃを左右方向で挟む形態となり、固定部材３５が左右方向に過剰に移動することを防止している。
【００５５】
本体部３５ａの背面側に折り曲げられて形成された突起部３５ｃ，３５ｃは、樹脂バネとして機能するバネ状部材であり、突起部３５ｃ，３５ｃの下面ＵＳ，ＵＳと、第２フレーム２３１のレバー部材２３１ｅに設けた根元部分２３１ｊの上端ＴＥ，ＴＥとは、弾性的に当接している。具体的には、突起部３５ｃ，３５ｃの下面ＵＳ，ＵＳが根元部分２３１ｊの上端ＴＥ，ＴＥに当接して下方に付勢する。これにより、根元部分２３１ｊすなわち第２フレーム２３１の変位が摩擦力により制限され、結果的に、第２フレーム２３１の回転軸ＲＡのまわりの回動が制限される。
【００５６】
ここで、第１固定部である固定部材３５と第２固定部であるレバー部材２３１ｅとは、第２フレーム２３１（フレームユニット３１）の回動を制限する固定部として機能している。この際、レバー部材２３１ｅの両側は、レールの役割を果たす一対の突起部３５ｃ，３５ｃに挟まれている。これにより、フレームユニット３１の姿勢が突起部３５ｃ，３５ｃなどに案内され、安定的に保持されると共に、フレームユニット３１や光学補償素子１０の姿勢の微調整が可能になる。詳細には、レバー部材２３１ｅのノブ２３１ｈを前後方向（図５の矢印Ａで示す方向）に移動することにより、レバー部材２３１ｅの根元部分２３１ｊが突起部３５ｃ，３５ｃの下面ＵＳ，ＵＳ上を摩擦力に抗して摺動する。例えば液晶パネル２５ｂに対して平行な状態から、図３〜図５に示すように、液晶パネル２５ｂに対して傾斜した状態に変化させて、そのような傾斜状態で固定することができる。
【００５７】
なお、図３に示すように、光学補償素子１０の調整後、根元部分２３１ｊや突起部３５ｃ，３５ｃ間に接着剤を供給して固定すれば、第２フレーム２３１を確実に固定部材３５に固定でき、液晶パネル２５ｂと光学補償素子１０との光軸ＯＡに略垂直な回転軸ＲＡに対する配置関係を恒久的に固定することができる。
【００５８】
第３フレーム３７は、支持ホルダ３３と、偏光板２５ｆの射出側に配設される光学部材としてのクロスダイクロイックプリズム２７と、を支持して固定する支持部材として構成されている。第３フレーム３７は、金属材料（板金）の加工により形成されたものであり、略矩形板状である本体部３７ａと、本体部３７ａの四隅に設けられ液晶パネル２５ｂ側に延びる爪部材３７ｂとを有している。また、本体部３７ａは、中央で略矩形状に開口される開口部Ｗ４を有し、偏光板２５ｆと図２に示すクロスダイクロイックプリズム２７とが対面するようになっている。
【００５９】
この第３フレーム３７は、支持ホルダ３３の射出側に固定され、偏光板２５ｆとクロスダイクロイックプリズム２７とを必要量だけ離間させた状態に保ちつつ、射出フィルタユニット１２５ｂなどをクロスダイクロイックプリズム２７に固定する。また、第３フレーム３７は、液晶パネル２５ｂを固定した射出フィルタユニット１２５ｂの位置を、爪部材３７ｂと複数の取付孔６２ａの固定位置とを調整することにより正確に位置決めすることができる。
【００６０】
なお、光学補償素子１０の取付姿勢の調整の手順に関し、本実施形態では、光学ユニット３０（図２参照）の形態において、最初に、第２フレーム２３１に対してギヤ形状部１３１ｂを操作して第１フレーム１３１を回動することで、光軸ＯＡのまわりに光学補償素子１０を回動させて取付姿勢を調整する。この場合、本実施形態では、各射出フィルタユニット１２５ａ，１２５ｂ，１２５ｃの支持ホルダ３３の側壁部３３ｅ，３３ｆの挿入孔５３ａ，５３ｂを介して行なっている。次に、第２フレーム２３１のノブ２３１ｈを前後方向に操作して第２フレーム２３１を回動することで、回転軸ＲＡのまわりに光学補償素子１０を回動させて取付姿勢の調整を行なっている。なお、この取付姿勢の調整の手順は、逆でもよい。
【００６１】
以上は、緑色光用の液晶パネル２５ｂおよび射出フィルタユニット１２５ｂの構造の説明であったが、他の青色光および赤色光用の液晶パネル２５ａ，２５ｃに付随する各色光の射出フィルタユニット１２５ａ，１２５ｃも上述した射出フィルタユニット１２５ｂと同様の構造を有しており、詳細な説明は省略する。
【００６２】
図８は、２種類の液晶パネルに対応させた射出フィルタユニットおよび第２フレームを示す図であり、図８（ａ）、（ｂ）は、２種類の液晶パネルおよび射出フィルタユニットを示す正面図であり、図８（ｃ）、（ｄ）は、（ａ）、（ｂ）にそれぞれ対応する２種類の第２フレームを示す正面図である。図８を用いて、２種類の液晶パネル（２５ｂと、２５ａ，２５ｃ）、２種類の液晶パネルに対応させた射出フィルタユニット（１２５ｂと、１２５ａ，１２５ｃ）、およびフレームユニット３１に関して説明する。
【００６３】
本実施形態では、緑色光用の液晶パネル２５ｂと、青色光および赤色光用の液晶パネル２５ａ，２５ｃとは、プレチルト角が逆方向のものを用いている。これは、クロスダイクロイックプリズム２７を透過または反射させる際に、左右の反転を補償して視野角特性を一致させるためである。このため、光学補償素子１０の光学軸や傾斜も、緑色光用の液晶パネル２５ｂに付随するものと青色光および赤色光用の液晶パネル２５ａ，２５ｃに付随するものとでは左右反転させる必要がある。
【００６４】
詳細には、図８（ａ）は、緑色光用の液晶パネル２５ｂと射出フィルタユニット１２５ｂとを示している。また、図８（ｃ）に示すのは、この射出フィルタユニット１２５ｂに組み込まれる第２フレーム２３１を示している。一方、図８（ｂ）は、青色光および赤色光用の液晶パネル２５ａ，２５ｃと射出フィルタユニット１２５ａ，１２５ｃとを示している。また、図８（ｄ）に示すのは、この射出フィルタユニット１２５ａ，１２５ｃに組み込まれる第２フレーム２３１を示している。
【００６５】
図からも明らかなように、図８（ｃ）の第２フレーム２３１と、図８（ｄ）の第２フレーム２３１とは、左右反転した対称な形状を有している。つまり、図８（ｄ）の第２フレーム２３１の場合、軸部材２３１ｂが本体部２３１ａから正面左上に延び、軸部材２３１ｃが本体部２３１ａから正面右下に延び、レバー部材２３１ｅが上部中央から上方に延びる。結果的に、図８（ｃ）の第２フレーム２３１は、紙面に沿って右上がりに傾いた回転軸ＲＡのまわりに回動可能になっており、図８（ｄ）の第２フレーム２３１は、紙面に沿って左上がりに傾いた回転軸ＲＡ’のまわりに回動可能になっている。
【００６６】
なお、以上の射出フィルタユニット１２５ａ，１２５ｂ，１２５ｃにおいて、第１フレーム１３１、支持ホルダ３３、固定部材３５、および第３フレーム３７は、共通の部品とすることができ、コストダウンを図っている。また、レバー部材２３１ｅの左右の突起部は左右で長さが異なっており、射出フィルタユニット１２５ａ，１２５ｂ，１２５ｃの組立後も、レバー部材２３１ｅを目視確認することで簡単に光学補償素子１０の傾斜方向を確認することができる。
【００６７】
上述した実施形態によれば以下の効果が得られる。
（１）本実施形態の補償素子調整機構によると、フレームユニット３１において、光学補償素子１０を支持する第１フレーム１３１が、支持部（第１係合部、第２係合部）により、第２フレーム２３１に支持されて回動自在となることで、光軸ＯＡのまわりに回動させる場合の光学補償素子１０の取付姿勢を調整することができる。また、光学補償素子１０を支持する第１フレーム１３１が支持部により、第２フレーム２３１に支持される。そして、その第２フレーム２３１が、光学補償素子１０に相対して外周の対向する位置に設けられる一対の軸部材２３１ｂ，２３１ｃを有し、その一対の軸部材２３１ｂ，２３１ｃが支持ホルダ３３に回動自在に支持されることにより、光軸ＯＡに直交する回転軸ＲＡのまわりに回動させる場合の光学補償素子１０の取付姿勢を調整することができる。この際、固定部（第１固定部、第２固定部）が、支持ホルダ３３に対する第２フレーム２３１の変位を弾性的な当接により制限するため、光学補償素子１０の姿勢を第２フレーム２３１と共に所望な量だけ変化させてそのまま保持することができる。従って、補償素子調整機構は、光軸ＯＡのまわりに回動させる場合の光学補償素子１０の取付姿勢を調整することができると共に、光軸ＯＡに直交する回転軸ＲＡのまわりに回動させる場合の光学補償素子１０の取付姿勢も調整することができ、光学補償素子１０の取付姿勢の精密な調整と調整後の簡易な固定とが可能になる。
【００６８】
（２）本実施形態の補償素子調整機構によると、第１フレーム１３１に第１係合部（係合片１３１ｃと開口部Ｗ１の縁部背面（本体部１３１ａ））と、第２フレーム２３１に第２係合部（切り欠き部２３１ｄを含む縁部両側面（本体部２３１ａ））と、を有している。そして、第１係合部と第２係合部とが係合して摺動することにより、光学補償素子１０を支持する第１フレーム１３１を第２フレーム２３１で支持して回動させ、第１フレーム１３１の姿勢調整、すなわち光軸ＯＡのまわりに回動させる場合の光学補償素子１０の姿勢調整が可能になる。
【００６９】
（３）本実施形態の補償素子調整機構によると、第１フレーム１３１を、第２フレーム２３１に対して回動させる操作部としてのギヤ形状部１３１ｂを有しているため、このギヤ形状部１３１ｂを利用して光学補償素子１０を支持する第１フレーム１３１を第２フレーム２３１で支持して回動させることで、光学補償素子１０の姿勢調整を簡易に行なうことが可能になる。
【００７０】
（４）本実施形態の補償素子調整機構によると、光学補償素子１０は、第１フレーム１３１を第２フレーム２３１に対して回動させて姿勢調整を行なう際の最も効率的な形状となる略円板状に形成されている。それにより、光学補償素子１０の機能を満足させた最小限の形状とすることができ、光学補償素子１０を小型化することができ、補償素子調整機構の小型化が可能となる。
【００７１】
（５）本実施形態の補償素子調整機構によると、第１フレーム１３１と第２フレーム２３１との開口部Ｗ１，Ｗ２を略円形状に形成することにより、第１フレーム１３１と第２フレーム２３１とを、最も効率的な形状とすることができるため、補償素子調整機構の小型化が可能となる。
【００７２】
（６）本実施形態の補償素子調整機構によると、固定部（固定部材３５、レバー部材２３１ｅ）は、第２フレーム２３１を摩擦力で係止することにより、支持ホルダ３３に対する第２フレーム２３１の変位量の微調整を許容するため、光学補償素子１０の姿勢を摩擦力に抗して微調整した状態で摩擦力により固定することができる。
【００７３】
（７）本実施形態の補償素子調整機構によると、固定部は、支持ホルダ３３に取り付けられる第１固定部（固定部材３５）と、第２フレーム２３１から延びる第２固定部（レバー部材２３１ｅ）とを含み、固定部材３５およびレバー部材２３１ｅの弾性的な係止により支持ホルダ３３に対する第２フレーム２３１の変位を制限する。これにより、固定部材３５の介在により光学補償素子１０の取付姿勢の簡易な固定が可能になる。
【００７４】
（８）本実施形態の補償素子調整機構によると、第２固定部（レバー部材２３１ｅ）は、支持ホルダ３３の外側に延びる、第２フレーム２３１の姿勢を調整可能にする操作用のノブ２３１ｈを備えることにより、このノブ２３１ｈを利用して第２フレーム２３１の姿勢調整が簡易に行なえる。すなわち光軸ＯＡに直交する回転軸ＲＡのまわりに回動させる場合の光学補償素子１０の姿勢調整が簡易に行なえる。
【００７５】
（９）本実施形態の補償素子調整機構によると、固定部は、第１固定部（固定部材３５）に設けた樹脂バネ（突起部３５ｃ）を有し、第２固定部（レバー部材２３１ｅ）の根元部分２３１ｊの上端ＴＥ，ＴＥを弾性的に当接するため、簡易な機構で第２フレーム２３１の変位制限または固定が可能になる。
【００７６】
（１０）本実施形態の補償素子調整機構によると、一対の軸部材２３１ｂ，２３１ｃは、液晶パネル２５ｂの画面の縦方向および横方向に対して傾いた方向に配置されているため、光学補償素子１０を画角に対して傾斜した軸（光軸ＯＡに直交する回転軸ＲＡ）のまわりに回動・傾斜させることができる。
【００７７】
（１１）本実施形態の補償素子調整機構によると、一対の軸部材２３１ｂ，２３１ｃは、支持ホルダ３３に形成された一対のスリット状の溝（支持溝５３ｄ，５４ｃ）にそれぞれ支持される細長い板状の部材であるため、第２フレーム２３１の滑らかな姿勢調整、すなわち光学補償素子１０の滑らかな姿勢調整が可能になる。
【００７８】
（１２）本実施形態の補償素子調整機構によると、支持ホルダ３３は、一方に液晶パネル２５ｂに接合するための第１接合部３３ａを有し、他方に偏光板２５ｆを取り付けるための第２接合部３３ｂ，３３ｃを有すると共に、第１接合部３３ａおよび第２接合部３３ｂ，３３ｃの間にフレームユニット３１を収容する隙間状の空間ＳＰを有している。このような支持ホルダ３３により、隙間状の空間ＳＰにフレームユニット３１を収容し、併せて液晶パネル２５ｂや偏光板２５ｆを一体的に固定でき、これらの間で光学補償素子１０の姿勢を調節することができる。
【００７９】
（１３）本実施形態の補償素子調整機構によると、液晶パネル２５ｂの射出側に偏光板２５ｆが配設され、支持ホルダ３３と、偏光板２５ｆの射出側に配設されるクロスダイクロイックプリズム２７と、を支持して固定する第３フレーム３７を有している。これにより、第３フレーム３７を介し、射出フィルタユニット１２５ｂの固定位置を調整してクロスダイクロイックプリズム２７に固定することができる。
【００８０】
（１４）本実施形態のプロジェクタ１００によると、光源装置２１（光源ランプ２１ａ）の発光により光束が射出され、液晶パネル２５ｂを有する光変調装置とにより、光源装置２１から射出された光束を画像情報に応じて変調して光学像を形成する。そして、投写光学装置（投写レンズ２９）により、光変調装置で形成された光学像を投写する。この際、本実施形態の簡単な構造の補償素子調整機構を用いているため、光学補償素子１０を簡易な構造で精密に配置することができ、投写される光学像（カラー画像など）のコントラストを容易に高めることができる。
【００８１】
なお、上述した実施形態に限定されず、種々の変更や改良などを加えて実施することが可能である。変形例を以下に述べる。
【００８２】
（変形例１）前記実施形態では、第１フレーム１３１の外周に操作部としてのギヤ形状部１３１ｂを有している。しかし、これに限られず、操作部として突起を有して、挿入孔５３ａ，５３ｂなどから突出させて第１フレーム１３１（光学補償素子１０）を調整することでもよい。
【００８３】
（変形例２）前記実施形態では、第１フレーム１３１を光軸ＯＡのまわりに回動して光学補償素子１０の取付姿勢を調整した後、支持部としての第１係合部（係合片１３１ｃと開口部Ｗ１の縁部背面（本体部１３１ａ））や第２係合部（切り欠き部２３１ｄを含む縁部両側面（本体部２３１ａ））には、接着剤を供給していない。しかし、接着剤を供給して固定することにより、第１フレーム１３１を第２フレーム２３１に確実に固定でき、液晶パネル２５ｂと光学補償素子１０との配置（回転位置）関係を恒久的に固定することができる。
【００８４】
（変形例３）前記実施形態では、第１フレーム１３１と第２フレーム２３１との開口部Ｗ１，Ｗ２を略円形状に形成しているが、どちらか一方のフレーム（第１フレーム１３１または第２フレーム２３１）の開口部を略円形状に形成することでもよい。
【００８５】
（変形例４）前記実施形態では、一対の軸部材２３１ｂ，２３１ｃは、細長い板状の部材であるが、これに限られず、棒状の部材であってもよい。
【００８６】
（変形例５）前記実施形態では、第１固定部（固定部材３５）に設けた樹脂バネ（突起部３５ｃ）を有し、第２固定部（レバー部材２３１ｅ）の根元部分２３１ｊの上端ＴＥ，ＴＥを弾性的に当接している。しかし、これに限られず、板金バネとしてもよい。また、第２固定部に、樹脂バネや板金バネを有してもよい。
【００８７】
（変形例６）前記実施形態では、光変調装置に３つの液晶パネル２５ａ，２５ｂ，２５ｃを用いたプロジェクタ１００を説明したが、これに限られない。例えば、１つの液晶パネルのみを用いたプロジェクタ、２つの液晶パネルを用いたプロジェクタ、あるいは、４つ以上の液晶パネルを用いたプロジェクタにも適用可能である。
【００８８】
（変形例７）前記実施形態では、コントラスト向上用の光学補償素子１０を、例えば射出側の偏光板２５ｅ，２５ｆ，２５ｇと液晶パネル２５ａ，２５ｂ，２５ｃとの間に組み込んでいるが、光学補償素子１０を入射側の偏光板２５ｅ，２５ｆ，２５ｇと液晶パネル２５ａ，２５ｂ，２５ｃとの間に組み込むこともできる。この場合、各液晶パネル２５ａ，２５ｂ，２５ｃの入射側に、図２などに示す射出フィルタユニット１２５ａ，１２５ｂ，１２５ｃと同様の構造の入射フィルタユニットを設けることでよい。
【００８９】
（変形例８）前記実施形態では、第２フレーム２３１を回転させる回転軸ＲＡを、液晶パネル２５ａ，２５ｂ，２５ｃの画面の縦方向及び横方向に対して略４５度傾いた方向に配置している。しかし、これに限られず、回転軸ＲＡの角度は光軸ＯＡに垂直な面内で任意に設定することができる。
【００９０】
（変形例９）前記実施形態では、透過型の液晶パネル２５ａ，２５ｂ，２５ｃを用いているが、反射型の液晶パネルなど、反射型の光変調装置を用いることも可能である。この場合、反射型の液晶パネルの片側にのみ単一の偏光板が配置されるので、例えば反射型の各液晶パネルと単一の偏光板との間に光学補償素子１０を配置するタイプの射出フィルタユニットを反射型の各液晶パネルの正面側に配置することができる。
【００９１】
（変形例１０）前記実施形態では、光源装置２１を構成する光源ランプ２１ａに放電式ランプを用いているが、これに限られず、光源装置として、ＬＥＤ（Light Emitting Diode）素子やＬＤ（Laser Diode）素子などを用いることができる。
【００９２】
（変形例１１）前記実施形態のプロジェクタ１００は、フロントタイプのプロジェクタとして適用しているが、投写対象面としてのスクリーンを一体で有するリアタイプのプロジェクタにも適用できる。
【図面の簡単な説明】
【００９３】
【図１】本実施形態に係るプロジェクタの光学系の構造を示す図。
【図２】プロジェクタの一部を構成する光学ユニットの構造を示す斜視図。
【図３】補償素子調整機構を有する射出フィルタユニットと液晶パネルとの構成を示す図であり、（ａ）は平面図であり、（ｂ）は正面図である。
【図４】図３における射出フィルタユニットを透視した正面図。
【図５】射出フィルタユニットの斜視図。
【図６】射出フィルタユニットなどの分解斜視図。
【図７】フレームユニットの構造を示す図であり、（ａ）は正面からの斜視図であり、（ｂ）は背面からの斜視図であり、（ｃ）はフレームユニットの分解斜視図。
【図８】２種類の液晶パネルに対応させた射出フィルタユニットおよび第２フレームを示す図であり、（ａ）、（ｂ）は２種類の液晶パネルおよび射出フィルタユニットを示す正面図であり、（ｃ）、（ｄ）は（ａ）、（ｂ）にそれぞれ対応する２種類のフレームを示す正面図。
【符号の説明】
【００９４】
１０…光学補償素子、２５ａ，２５ｂ，２５ｃ…液晶パネル、２５ｅ，２５ｆ，２５ｇ…偏光板、３０…光学ユニット、３１…フレームユニット、３３…支持ホルダ、３５…固定部材、３７…第３フレーム、５３ｄ，５４ｃ…支持溝、１００…プロジェクタ、１２５ａ，１２５ｂ，１２５ｃ…射出フィルタユニット、１３１…第１フレーム、１３１ａ…本体部、１３１ｂ…ギヤ形状部、１３１ｃ…係合片、２３１…第２フレーム、２３１ａ…本体部、２３１ｂ，２３１ｃ…軸部材、２３１ｄ…切り欠き部、２３１ｅ…レバー部材、２３１ｈ…ノブ、２３１ｊ…根元部分、ＯＡ…光軸、ＲＡ…回転軸、ＳＰ…空間、Ｗ１，Ｗ２，Ｗ３，Ｗ４…開口部。
【図１】
2009169042.tif 000003
【図２】
2009169042.tif 000004
【図３】
2009169042.tif 000005
【図４】
2009169042.tif 000006
【図５】
2009169042.tif 000007
【図６】
2009169042.tif 000008
【図７】
2009169042.tif 000009
【図８】
2009169042.tif 000010